(57)【要約】【課題】  自然環境を破壊することなく、簡単に組立・解体ができる地中型枠を使用した地中構造物の構築方法を提供することである。【解決手段】  地中構造物の構築方法は、適宜厚さの土壌板１を凍結させて凍結型板２を形成し、該地中型板２を、地盤４に形成した掘削溝５の内壁６に設置して、地中型枠７を形成した後、該地中型枠７内にコンクリート８を打設し、該コンクリート８の硬化とともに地中型枠７が自然解凍するものである。【選択図】図１
2005273315.tif 000002
【特許請求の範囲】
【請求項１】
適宜厚さの土壌板を凍結させて凍結型板を形成し、該凍結型板を、地盤に形成した掘削溝の内壁に設置して、地中型枠を形成した後、該地中型枠内にコンクリートを打設し、該コンクリートの硬化とともに地中型枠が自然解凍することを特徴とする地中構造物の構築方法。
【請求項２】
凍結型板の一面に断熱材が張り付けられたことを特徴とする請求項１に記載の地中構造物の構築方法。
【請求項３】
凍結型板には植物の種子が埋設されたことを特徴とする請求項１または２に記載の地中構造物の構築方法。
【請求項４】
地盤に形成された掘削溝の内壁に冷却板を設置し、該冷却板により内壁土壌を凍結させて地中型枠を形成し、該地中型枠内にコンクリートを打設し、該コンクリートの硬化とともに地中型枠が自然解凍することを特徴とする地中構造物の構築方法。
【請求項５】
地中型枠の内面に断熱材を張り付けた後、地中型枠内にコンクリートを打設することを特徴とする請求項４に記載の地中構造物の構築方法。
【発明の詳細な説明】
【技術分野】
【０００１】
本発明は地中構造物の構築方法に関するものである。
【背景技術】
【０００２】
従来の地中構造物、例えば地中梁の構築方法としては、特開２００３−１３８５６５号の発明が知られている。これは地中に形成した掘削溝の内壁に合板を設置して、地中型枠を組立形成し、この地中型枠内にコンクリートを打設して地中梁を構築していた。
【特許文献１】特開２００３−１３８５６５号公報
【発明の開示】
【発明が解決しようとする課題】
【０００３】
しかし、上記の地中構造物の構築方法は、ベニヤ板などの合板を使用して、地中型枠を組立形成しているため、その組立・解体に手間がかかり、作業効率が悪く、非経済的であった。また合板は、自然環境の破棄にもなるため、代替え材を使用する要望が高まっていた。
【０００４】
本発明は、上記のような問題に鑑みてなされたものであり、その目的は、自然環境を破壊することなく、簡単に組立・解体ができる地中型枠を使用した地中構造物の構築方法を提供することである。
【課題を解決するための手段】
【０００５】
以上の課題を解決するための地中構造物の構築方法は、適宜厚さの土壌板を凍結させて凍結型板を形成し、該凍結型板を、地盤に形成した掘削溝の内壁に設置して、地中型枠を形成した後、該地中型枠内にコンクリートを打設し、該コンクリートの硬化とともに地中型枠が自然解凍することを特徴とする。また凍結型板の一面に断熱材が張り付けられたことを含む。また凍結型板には植物の種子が埋設されたことを含む。
また地中構造物の構築方法は、地盤に形成された掘削溝の内壁に冷却板を設置し、該冷却板により内壁土壌を凍結させて地中型枠を形成し、該地中型枠内にコンクリートを打設し、該コンクリートの硬化とともに地中型枠が自然解凍することを特徴とする。また地中型枠の内面に断熱材を張り付けた後、地中型枠内にコンクリートを打設することを含むものである。
【発明の効果】
【０００６】
土壌板を凍結させた凍結型板で地中型枠を組立形成したことにより、該地中型枠の組立・解体が簡単にできるので、地中構造物が効率的に構築できる。また地中型枠は解凍すると周囲の地盤の一部になるので、環境破壊を避けることができる。また地中型枠の解凍とともにコンクリートの外壁に断熱材が張り付けられるので、外断熱構造が簡単にできる。また凍結型板内に埋設された植物の種子が、地中型枠の自然解凍後に発芽して植物に成長することにより、周囲の緑地化が達成できる。また掘削溝の内壁を凍結させて地中型枠を形成することにより、該地中型枠の組立・解体が簡単にでき、かつ効率的な作業ができる。
【発明を実施するための最良の形態】
【０００７】
以下、本発明の地中構造物の構築方法を図面に基づいて説明する。本実施の形態における地中構造物は地中梁であり、この地中梁を対象とした構築方法について説明する。なお、各実施の形態において、同じ構成は同じ符号を付して説明し、異なった構成にのみ異なった符号を付して説明する。
【０００８】
図１は、第１の実施の形態の地中梁の構築方法を示したものである。はじめに、（１）および（２）に示すように、粘土、シルト、砂礫などの土壌で適宜厚さおよび大きさの土壌板１を形成し、これを−１０℃〜−３０℃の冷凍室で凍結させて凍結型板２を形成する。この凍結型板２の片面には、断熱シートなどの断熱材３が予め張り付けられている。これは凍結型板２の取り扱いを容易にするためと、コンクリートの硬化を妨げないようにするためである。
【０００９】
次に、図１の（３）に示すように、地盤４中に地中梁用の掘削溝５を形成し、この内壁６に凍結型板２を、断熱材３が内側に位置するように設置して、地中型枠７を組立形成する。次に、この地中型枠７内に補強鉄筋（図示せず）を配筋して、コンクリート８を打設する。このコンクリート８は、断熱材３で凍結型板２に直接触れないようになっている。
【００１０】
次に、このコンクリート８の硬化とともに、地中型枠７が自然解凍して、周囲の地盤４の一部になると、両側面に断熱材３が張り付けられた地中梁９が完成する。また断熱材も生分解性の材料であるため、上記と同じように周囲の地盤の一部になる。このように地中型枠７が自然解凍して、周囲の地盤４の一部になるので、型枠の解体作業が省略できる。
【００１１】
図２は、第２の実施の形態の地中梁の構築方法を示したものである。これは凍結型板２の中に植物の種子１０を埋設したものであり、これ以外は第１の実施の形態の地中梁の構築方法と同じ方法である。すなわち、種子入りの凍結型板２を使用して、地中型枠７を形成したものである。
【００１２】
これは、地中型枠７内に打設したコンクリート８の硬化とともに、地中型枠７が自然解凍して、周囲の地盤４の一部になった後、この地盤４内の種子１０が発芽して植物１１に成長して、地中梁９の周囲を緑地化するものである。この方法は型枠の解体作業の省略と、地中梁周囲の緑地化という二つの効果を一度に達成することができる。
【００１３】
また図３は、第３の実施の形態の地中梁の構築方法を示したものである。はじめに、図３の（１）に示すように、地盤４に形成した掘削溝５の内壁６に冷却板１２を設置し、この冷却板１２で内壁土壌を凍結させて地中型枠７を形成する。
【００１４】
次に、図３の（２）に示すように、地中型枠７の内壁６に断熱材３を張り付けてコンクリート８を打設すると、該コンクリート８が地中型枠７に直接触れるのを防ぐことができる。
【００１５】
次に、図３の（３）に示すように、コンクリート８の硬化とともに、地中型枠７が自然解凍して周囲の地盤４の一部になると、両側面に断熱材３が張り付けられた地中梁９が完成する。この方法も地中型枠７が自然解凍して、周囲の地盤４の一部になるので、型枠の解体作業を省くことができる。
【００１６】
なお、上記の実施の形態において地中構造物は地中梁９を対象としたが、これ以外に土留壁であってもよい。
【００１７】
下記の表は、凍結型枠２にコンクリートを打ち込んだ場合の硬化後の表面性状と物性の影響を調べた結果である。凍結型枠として型枠温度を０℃に保持した金型と、室温に保持した金型に所定のモルタルを打ち込み、硬化後のモルタルの表面性状および圧縮強度を相対的に比較評価した。
【００１８】
【表１】
2005273315.tif 000003
【００１９】
上記の結果、０℃保持の金型に打ち込んだモルタルの表面状態は、室温に保持した金型と同様に、非常に良好な状態であった。また圧縮強度においても室温に保持した金型と同等な強度が得られた。これは、初期に０℃の型枠表面へモルタルが４〜６時間程度接していても、モルタル中の水分が凍結しないため、表面性状や物性に影響を及ぼさないということを確認することができた。
【図面の簡単な説明】
【００２０】
【図１】第１の実施の形態の地中梁の構築方法を示したものであり、（１）は土壌板の製造方法の断面図、（２）は凍結型板の斜視図、（３）は地中型枠内にコンクリートを打設した断面図、（４）は地中梁の断面図である。
【図２】第２の実施の形態の地中梁の構築方法を示したものであり、（１）は土壌板の製造方法の断面図、（２）は凍結型板の斜視図、（３）は地中型枠内にコンクリートを打設した断面図、（４）は地中梁の断面図である。
【図３】第３の実施の形態の地中梁の構築方法を示したものであり、（１）は掘削溝の内壁に冷却板を設置した断面図、（２）は地中型枠内にコンクリートを打設した断面図、（３）は地中梁の断面図である。
【符号の説明】
【００２１】
１  土壌板
２  凍結型板
３  断熱材
４  地盤
５  掘削溝
６  内壁
７  地中型枠
８  コンクリート
９  地中梁
１０  種子
１１  植物
１２  冷却板
【図１】
2005273315.tif 000004
【図２】
2005273315.tif 000005
【図３】
2005273315.tif 000006